(57)【要約】【課題】被検者が固視目標を見失なうのを防止し、確実な眼科検査を行なえるようにする。【解決手段】被検眼の視線を誘導する固視目標表示手段として、外部固視灯６１、および複数の固視目標３１から成る内部固視灯を有する構成において、外部固視灯６１の移動状態や、複数の固視目標３１の選択状態を介して視線誘導方向の変化を検出する。視線誘導方向の変化が検出された場合、外部固視灯および内部固視灯の表示状態を定常表示状態から強調表示状態に切り換える。外部固視灯および内部固視灯の強調表示状態は、被検眼の縮瞳状態に影響を与えないよう所定時間経過後に自動的に定常表示状態に復帰させる。強調表示状態の態様、すなわち、外部固視灯および内部固視灯の光量や点滅などの条件は所望に設定可能とする。【選択図】　　　　図１
2004033377.tif 000002
【特許請求の範囲】
【請求項１】
被検眼の視線を誘導する固視目標表示手段を有する眼科検査装置において、
前記固視目標表示手段による視線誘導方向の変化を検出する検出手段と、
前記検出手段により視線誘導方向の変化が検出された場合、前記固視目標表示手段の固視目標表示状態を定常表示状態から強調表示状態に切り換える制御手段を有することを特徴とする眼科検査装置。
【請求項２】
前記強調表示状態の後、前記固視目標表示手段の固視目標表示状態を自動的に前記定常表示状態に復帰させることを特徴とする請求項１に記載の眼科検査装置。
【請求項３】
前記検出手段は、前記固視目標表示手段による視線誘導方向の変化を、前記固視目標表示手段の移動状態、ないし複数設けられた前記固視目標表示手段の選択状態を介して検出することを特徴とする請求項１に記載の眼科検査装置。
【請求項４】
前記強調表示状態の態様を所望に設定する設定手段を有することを特徴とする請求項１に記載の眼科検査装置。
【発明の詳細な説明】
【０００１】
【発明の属する技術分野】
本発明は被検眼の視線を誘導する固視目標表示手段を有する眼科検査装置に関するものである。
【０００２】
【従来の技術】
従来より、眼底カメラなどの眼科検査装置において、被検眼の眼球運動の抑制と撮影範囲の安定のため、被検者にある一つの輝点（固視目標）を注視させて撮影を行う方法が広く知られている。
【０００３】
固視目標を形成するには、主に眼科検査装置の主光学系の外部に外部固視灯を設ける構成と、主光学系の内部に内部固視灯を設ける構成が知られている。
【０００４】
固視目標の位置によって撮影できる眼底範囲が決定されるので、検者は自分の撮影したい範囲を得るために、外部固視灯を移動させ、あるいは点灯させる内部固視灯を切り換えて被検眼の視線誘導を行なう。
【０００５】
【発明が解決しようとする課題】
従来の眼科検査装置では、外部固視灯を移動したり内部固視灯の切換を行なった時に、被検者が固視灯（固視目標）を見失ない、検査が中断してしまうことがしばしば起こる。
【０００６】
被検者が固視灯を見失なうのを防止するには、固視灯の点灯輝度を上げたり、点滅させるなどして固視灯を目立たせることが考えられる。しかし、このような手法によると、被検眼の縮瞳を招き、撮影に支障をきたす可能性がある。
【０００７】
本発明の課題は、上記の問題を解決し、被検者が固視目標を見失なうのを防止し、確実な眼科検査を行なえるようにすることにある。
【０００８】
【課題を解決するための手段】
上記の課題を解決するため、本発明によれば、被検眼の視線を誘導する固視目標表示手段を有する眼科検査装置において、前記固視目標表示手段による視線誘導方向の変化を検出する検出手段と、前記検出手段により視線誘導方向の変化が検出された場合、前記固視目標表示手段の固視目標表示状態を定常表示状態から強調表示状態に切り換える制御手段を有する構成を採用した。
【０００９】
【発明の実施の形態】
以下、図を参照して本発明の実施の形態を説明する。
【００１０】
図１に本発明を採用した眼底カメラの構成を示す。
【００１１】
図１下方に図示した光学系は照明光学系である。ランプ１の照明光は、コンデンサーレンズ２、撮影用光源であるストロボ３、コンデンサーレンズ４を経て、全反射ミラー５によって反射され、続いてリングスリット６、さらにリレーレンズ７、ハーフミラー８、リレーレンズ９を経て主光学系のミラー１０に入射する。ミラー１０は中心に穴の開いた穴あき全反射ミラーで、照明光はミラー１０で反射されてから対物レンズ１１を経て、被検眼Ｅの瞳Ｅｐより眼底Ｅｒに入射される。
【００１２】
眼底Ｅｒからの反射光は再び瞳Ｅｐから対物レンズ１１を介して受光され、ミラー１０の穴を介して、結像レンズ１２、合焦レンズ１３を通過し、リターンミラー１４に入射する。リターンミラー１４に入射した光は、観察時にはミラー１５で反射され、フィールドレンズ１６を介して、接眼レンズ１７により検者Ｓに観察される。一方、眼底像をフィルム１８に撮影する場合には、リターンミラー１４が光路から外され、撮影用光源であるストロボ３が発光し、フィルム１８に眼底像が撮影される。
【００１３】
図１の眼底カメラには、装置全体の動作を制御するためのＣＰＵ２０が設けられており、このＣＰＵ２０は、操作パネルに設けられてシャッターボタン２１から信号を受けてリターンミラー１４を光路から離脱させる。またＣＰＵ２０には、操作パネルに設けられたフォーカス制御ノブ２２からの信号が入力され、それにより合焦レンズ１３を調節してフォーカス制御が行われる。また、ＣＰＵ２０は同様に操作パネルに設けられた観察光量ボリューム２３からの信号を受けてランプ１の光量を調節する。
【００１４】
図１の眼底カメラには、固視目標表示手段として外部固視灯および内部固視灯が設けられている。
【００１５】
外部固視灯６１はＬＥＤなどの光源から構成され、装置本体に対してアーム６２を介して支持されている。外部固視灯６１（および後述の内部固視灯）の点灯状態、光量、点滅状態などの点灯の態様は点灯制御回路５２を介してＣＰＵ２０により制御される。アーム６２には複数の関節部６３が設けられ、検者はアーム６２を調節し被検眼Ｅの視線の方向を誘導する。
【００１６】
後述のように、本実施形態においては外部固視灯６１による視線誘導方向が変化した時に固視灯の点灯状態を変化させる制御を行なう。外部固視灯６１の場合は上記のようにアーム６２の調節により視線誘導方向を制御するため、アーム６２の動きを検出すべくアーム６２の関節部６３、６３…にセンサ６４、６４…を設けている。このセンサ６４は光学センサや磁気センサなどにより構成され、関節部６３の動きを検出する。センサ６３の出力は、ＣＰＵ２０に入力される。外部固視灯６１の視線誘導方向の変化（動き）は、このような関節部６３の動き（すなわち外部固視灯６１の移動状態ないし位置）を検出する以外に、たとえば加速度センサなどを外部固視灯６１の先端部などに設けることによっても検出できる。
【００１７】
なお、本実施形態では、アーム６２は直接検者が手動で操作するものとするが、もちろん、後述のＣＰＵ２０がモータドライブ機構などを介して制御してもよい。このような構成においては、センサ６３を用いなくても、アーム６２の駆動データないし駆動状態データからアーム６２の動き（固視方向の変化）を検出することができる。
【００１８】
一方、内部固視灯は、本実施形態では照明光学系内に配置されている。内部固視灯は、ＬＥＤあるいは液晶などからなる複数個の固視目標３１により構成されている。視線誘導方向は、異なる位置に配置された固視目標３１のいずれを点灯させるかにより決定される。固視目標３１の像は、レンズ３２、ハーフミラー８を介して照明光学系に導入され、被検眼Ｅの視線方向を誘導する。各固視目標３１（および前述の外部固視灯）の点灯／消灯、光量、点滅状態などの点灯の態様は点灯制御回路５２を介してＣＰＵ２０により制御される。
【００１９】
検者は、視線誘導方向を決定するために内部固視灯のいずれの固視目標を点灯させるかを手動操作により決定し、また、本実施形態の内部固視灯の場合は検査（撮影）モード（後述のオートモードなど）に応じて自動的に内部固視灯のいずれの固視目標を点灯させるかが決定される。
【００２０】
内部固視灯のいずれの固視目標３１を点灯させるかはスイッチパネル３０のスイッチ（３０ａ、３０ｂ、３０ｃ…）により制御する。固視目標３１はこのスイッチパネル３０の各スイッチに対応した配列で配置されており、スイッチが操作されると、各スイッチの位置に対応して配置された固視目標が点灯される。
【００２１】
固視目標３１は、乳頭撮影用、乳頭と黄斑部撮影用、その他の撮影用にそれぞれ右眼用（図面で縦の中心線より右側に配置される）と左眼用（同中心線より左側に配置される）に分類されており、乳頭撮影用の固視目標は白丸で示したスイッチ３０ａを、乳頭と黄斑部撮影用の固視目標は黒丸で示したスイッチ３０ｂを、またその他の部分の撮影用には×印で示したスイッチ３０ｃをそれぞれ操作することにより、各固視目標が点灯される。
【００２２】
ＣＰＵ２０は固視目標点灯時、スイッチパネル３０よりスイッチ信号を入力し、点灯させる固視目標３１を決定する。また、ストロボ３の発光光量は、選択された固視目標３１により制御することができる。たとえば、スイッチ３０ａが操作され、それに対応して乳頭撮影用の固視目標が点灯すると、ストロボ光量は弱くなり、またスイッチ３０ｂを操作して、乳頭と黄斑部撮影用の固視目標が点灯すると、ストロボ光量は中間値になり、またスイッチ３０ｃを操作して、眼底の他の部分を撮影するための固視目標が点灯すると、ストロボ光量が強くなるように制御を行なう。
【００２３】
スイッチパネル３０は、外部固視灯と内部固視灯のいずれを用いるかを選択するためのスイッチが設けられている。本実施形態の場合、このスイッチは外部固視灯スイッチ５７であり、この外部固視灯スイッチ５７を有効にすると外部固視灯６１が点灯される。
【００２４】
また、スイッチパネル３０には、オートモードスイッチ５６が設けられている。このオートモードスイッチ５６により指定されるオートモードは、内部固視灯の固視目標３１の自動選択を行なうもので、観察画面５４上で所望の撮影中心部位を指定するとそれに適した内部固視灯の固視目標３１を選択する。
【００２５】
観察画面５４で撮影中心部位を指定するための構成としては、たとえば主光学系に観察画像を撮影するＣＣＤカメラなどを配置し、その撮影画像を不図示のＣＲＴなどから成るモニタに投影する。そして、不図示のマウスなどにより、検者にモニタ上の観察画像中の所望の撮影中心部位を指定させ、現在の観察画像上における撮影中心部位の相対座標から点灯させる内部固視灯の固視目標３１を決定することができる。このとき、左眼側の固視目標３１を選択するか、右眼側の固視目標３１を選択するかは、架台位置を検出するセンサ５３の出力に応じて決定する。センサ５３は、本体の架台上での位置を検出するもので、このセンサ５３により、現在、左右のいずれの被検眼を観察しているかを検出することができる。
【００２６】
なお、スイッチパネル３０は、ハードウェアにより構成するのみならず、マウスとモニタ表示を組合せたＧＵＩ上にＣＰＵ２０のソフトウェアにより構成することもできる。
【００２７】
本実施形態では、外部固視灯または内部固視灯により固視目標を提示している時、その点灯光量は、ＣＰＵ２０および点灯制御回路５２により被検眼の縮瞳などが起きないようなあらかじめ定められた一定のデフォルト値（出荷時のデフォルト値や、不図示のユーザーインターフェースを介して検者が決定した値）に制御される。
【００２８】
このデフォルトの外部／内部の固視灯の点灯状態（以下「定常表示状態」または単に「定常状態」という）は、外部固視灯が静止している期間、および内部固視灯の切り換えが行なわれていない期間において続行される。
【００２９】
一方、外部固視灯の移動がセンサ６４により検出された時、あるいは内部固視灯の切り換えが行なわれた時、すなわち、固視方向（視線誘導方向）を変化させた時は、被検者が固視目標を見失なわないよう、外部／内部固視灯の点灯状態を定常状態と異なる状態に変化させる。以下、この定常状態と異なる外部／内部固視灯の点灯状態を便宜上、「強調表示状態」または単に「強調表示」という。
【００３０】
この強調表示状態は、たとえば次のようにして作り出すことができる。
【００３１】
（１）固視灯の点灯光量を変化（通常は光量を増加）させる。
【００３２】
（２）固視灯を点滅させる。あるいは、定常状態で既に点滅させている場合はその点滅インターバルを短かくする。
【００３３】
さらに固視灯の強調表示状態は、外部固視灯の移動がセンサ６４により検出された時、および内部固視灯の切り換えが行なわれた時、すなわち、固視方向を変化させた時から、一定の時間が経過したら、被検眼の縮瞳状態に影響を与えないように定常表示状態に復帰させる。固視方向の変化後の強調表示状態の連続時間は、たとえば数秒程度とするのが良い。
【００３４】
さらに、固視目標の強調表示の態様の細部は、固視灯点灯設定手段５１により設定可能としておくのが良い。固視灯点灯設定手段５１は、ＣＰＵ２０の制御プログラムと、ユーザーインターフェースハードウェア（マウスやキーボード、モニタなど。もちろん専用のスイッチパネルなどを用いてもよい）により構成することができる。
【００３５】
固視灯点灯設定手段５１によって、少なくとも次のような設定を行なえるのが望ましい。
【００３６】
（１）固視方向変化時の固視目標の強調表示を行なうか否か
（２）強調表示の持続時間
（３）強調表示を点灯光量の変化で行なうか、点滅により行なうか
（４）強調表示の際の点灯光量の変化量、点滅周期
（５）強調表示の設定を外部固視灯、内部固視灯のいずれに作用させるか。
【００３７】
図２は上記のような固視目標の強調表示の態様を設定するユーザーインターフェースを制御するＣＰＵ２０のプログラムの流れを示している。
【００３８】
図２のステップＳ１では、固視灯点灯設定手段５１のユーザーインターフェースハードウェアの入力状態に応じて、外部固視灯、内部固視灯のいずれに対する強調表示の設定を行なうかを決定する。
【００３９】
ステップＳ２では、固視灯点灯設定手段５１のユーザーインターフェースハードウェアの入力状態に応じて、強調表示の持続時間を設定する。この持続時間は、数値入力や、ＧＵＩ画面上のダイアログ中に配置したスライドバーなどにより入力させることができる。
【００４０】
ステップＳ３では、固視灯点灯設定手段５１のユーザーインターフェースハードウェアの入力状態に応じて、強調表示を点灯光量の変化で行なうか、点滅により行なうかを設定する。この設定は、ＧＵＩ画面上のダイアログ中に配置したボタンなどにより行なえる。
【００４１】
ステップＳ３の選択に応じて、ステップＳ４またはＳ５において、強調表示の際の点灯光量の変化量または点滅周期をそれぞれ設定する。これら変化量または点滅周期は、数値入力や、ＧＵＩ画面上のダイアログ中に配置したスライドバーなどにより入力させることができる。
【００４２】
ステップＳ６では、固視灯点灯設定手段５１のユーザーインターフェースハードウェアの入力状態に応じて、設定を終了するか否かを決定する。設定を終了しない場合は上述の各設定を行なえるようにしておくのが望ましい。
【００４３】
なお、図２はあくまでも便宜上、フローチャートの形式で強調表示の設定の態様を示したものであり、各ステップの設定は任意の順序で行なえばよい。固視灯点灯設定手段５１にＧＵＩ画面を用いれば、通常、この種の殆どの設定はユーザの所望の順序でボタンやスライドバーの操作やテキスト（数値）入力を行なうことにより行なうことができる。
【００４４】
図２の手順、あるいはその他の制御を実行するためのＣＰＵ２０の制御プログラムは、ＲＯＭなどの媒体に格納しておく他、その供給経路は任意で、外部記憶媒体によって供給してもよいし、ネットワーク経由で供給してもよい。
【００４５】
以上のように、本実施形態によれば、固視目標による固視方向（視線誘導方向）を変化させた時、固視目標の強調表示を行なうようにしているので、被検者が固視目標を見失なうのを確実に防止できる、という優れた効果がある。
【００４６】
また、本実施形態によれば、固視目標の強調表示は所定の持続時間経過後に停止させるようにしているので、被検眼の縮瞳状態などに影響を与えることがなく、確実に眼科検査を遂行できる。
【００４７】
さらに、本実施形態によれば、固視目標による固視方向（視線誘導方向）の変化は、外部固視灯の移動や内部固視灯の切り換え（スイッチパネル３０の乳頭撮影用、黄斑部撮影用、その他のスイッチにより切り換えられる他、オートモードスイッチ５６により設定されたオートモードによる自動切り換えの場合も含む）により検出され、自動的に固視目標の強調表示（および定常表示状態への復帰）が制御されるので、検者は検査中に面倒な操作を行なう必要がない。
【００４８】
また、図２に示したように、固視方向の変化時に強調表示を行なうか否か、あるいはさらに強調表示を行なう場合はその態様の細部を設定可能とすれば、検査状況、被検者、検査環境に適した固視目標の強調表示を行なえる。
【００４９】
なお、外部固視灯の移動や内部固視灯の切り換えの際、視線の移動量があまり大きくなかったり、移動速度（加速度）が小さいなど、被検者が固視目標を見失なう可能性が低い場合は、強調表示状態への切り換えを行なわないように制御することも考えられる。たとえば、外部固視灯の移動量が所定以下（センサ６３による関節部６３の動作量が所定以下であるなど）の場合、外部固視灯の移動速度や加速度が所定以下（加速度センサなどを用いている場合は容易にこのようなパラメータを検出することができる）の場合は強調表示状態への切り換えを省略する。また、内部固視灯の場合は、切り換え前と切り換え後で点灯させる固視目標の距離があまり離れていないような場合に強調表示状態への切り換えを省略すればよい。さらに、強調表示状態への切り換えを省略する条件（上記の移動量、移動速度、移動加速度、内部固視灯の固視目標間の距離など）も図２に示したようなユーザーインターフェースにより設定可能とすることができる。
【００５０】
【発明の効果】
以上の説明から明らかなように、本発明によれば、被検眼の視線を誘導する固視目標表示手段を有する眼科検査装置において、前記固視目標表示手段による視線誘導方向の変化を検出する検出手段と、前記検出手段により視線誘導方向の変化が検出された場合、前記固視目標表示手段の固視目標表示状態を定常表示状態から強調表示状態に切り換える制御手段を有する構成を採用しているので、被検者が固視目標を見失なうのを防止し、確実に眼科検査を行なえる、という優れた効果がある。
【図面の簡単な説明】
【図１】本発明を採用した眼科検査装置の構成を示した説明図である。
【図２】図１の固視灯点灯設定手段の制御手順を示したフローチャート図である。
【符号の説明】
１　ランプ
２　コンデンサーレンズ
３　ストロボ
４　コンデンサーレンズ
５　全反射ミラー
６　リングスリット
７　リレーレンズ
８　ハーフミラー
９　リレーレンズ
１０　ミラー
１１　対物レンズ
１２　結像レンズ
１３　合焦レンズ
１４　リターンミラー
１５　ミラー
１６　フィールドレンズ
１７　接眼レンズ
１８　フィルム
２０　ＣＰＵ
２１　シャッターボタン
３０　スイッチパネル
３１　固視目標
５１　固視灯点灯設定手段
５２　点灯制御回路
５３　センサ
５４　観察画面
５６　オートモードスイッチ
５７　外部固視灯スイッチ
６１　外部固視灯
６２　アーム
６３　関節部
６４　センサ
Ｅ　被検眼
【図１】
2004033377.tif 000003
【図２】
2004033377.tif 000004